(57)【要約】【課題】ニップローラやサクションローラを用いることなく、テンションカットを行うことが可能なフィルム搬送機構を提供する。【解決手段】搬送機構は、フィルム１５１を搬送する搬送ローラ１１と、フィルム１５１を帯電させることにより、搬送ローラ１１にフィルム１５１を吸着させるための帯電器１６ａおよび１６ｂと、帯電したフィルム１５１を除電することにより、搬送ローラ１１から下流側に送り出されるフィルム１５１が剥離しやすくするための除電器１７ａとを備える。【選択図】図２
2018167930.tif 000002
【特許請求の範囲】
【請求項１】
フィルムを搬送するフィルム搬送機構であって、
フィルムが巻き掛けられ、そのフィルムを搬送する搬送ローラと、
フィルムを帯電させることにより、前記搬送ローラにフィルムを吸着させるための帯電器と、
帯電したフィルムを除電することにより、前記搬送ローラから下流側に送り出されるフィルムが剥離しやすくするための除電器とを備えることを特徴とするフィルム搬送機構。
【請求項２】
請求項１に記載のフィルム搬送機構において、
前記搬送ローラは、近傍に配置される第１駆動ローラおよび第２駆動ローラを含み、
前記第１駆動ローラおよび前記第２駆動ローラには、フィルムがＳ字状に巻き掛けられていることを特徴とするフィルム搬送機構。
【請求項３】
請求項１または２に記載のフィルム搬送機構において、
フィルムの流れ方向において前記搬送ローラよりも上流側に配置され、前記搬送ローラに対して上流側のフィルムの張力を調整するために設けられた第１ダンサーローラと、
フィルムの流れ方向において前記搬送ローラよりも下流側に配置され、前記搬送ローラに対して下流側のフィルムの張力を調整するために設けられた第２ダンサーローラとを備えることを特徴とするフィルム搬送機構。
【請求項４】
請求項１〜３のいずれか１つに記載のフィルム搬送機構において、
前記搬送ローラに対して上流側のフィルムの張力と、前記搬送ローラに対して下流側のフィルムの張力との差に基づいて、前記帯電器によるフィルムの帯電量を調整するように構成されていることを特徴とするフィルム搬送機構。
【請求項５】
請求項１〜４のいずれか１つに記載のフィルム搬送機構において、
フィルムは、樹脂製の薄膜であることを特徴とするフィルム搬送機構。
【発明の詳細な説明】
【技術分野】
【０００１】
本発明は、フィルム搬送機構に関する。
【背景技術】
【０００２】
従来、フィルム搬送経路に設けられ、テンションカットを行うためのニップローラが知られている（たとえば、特許文献１参照）。このニップローラはフィルムを挟持するように構成されており、フィルムの張力をニップローラに対する上流側と下流側とで分断するようになっている。
【先行技術文献】
【特許文献】
【０００３】
【特許文献１】特開２００３−１１２１０７号公報
【発明の概要】
【発明が解決しようとする課題】
【０００４】
しかしながら、たとえばフィルムが樹脂製の薄膜である場合に、ニップローラを用いてテンションカットを行うと、フィルムにしわなどが発生するという不都合がある。このため、外周面にフィルムを吸引する吸引孔が形成されたサクションローラを用いてテンションカットを行うことが考えられる。しかしながら、サクションローラでは、幅広のフィルムに対応するのが困難であるとともに、製造コストが増大するという問題点がある。
【０００５】
そこで、フィルムを搬送する搬送ローラに対してフィルムが接触する角度範囲を広くすることが考えられる。しかしながら、上流側と下流側とでフィルムの張力差が大きい場合やフィルムの搬送速度が高い場合には、搬送ローラに対するフィルムの滑りが発生するおそれがある。
【０００６】
本発明は、上記の課題を解決するためになされたものであり、本発明の目的は、ニップローラやサクションローラを用いることなく、テンションカットを行うことが可能なフィルム搬送機構を提供することである。
【課題を解決するための手段】
【０００７】
本発明によるフィルム搬送機構は、フィルムを搬送するものであり、フィルムが巻き掛けられ、そのフィルムを搬送する搬送ローラと、フィルムを帯電させることにより、搬送ローラにフィルムを吸着させるための帯電器と、帯電したフィルムを除電することにより、搬送ローラから下流側に送り出されるフィルムが剥離しやすくするための除電器とを備える。
【０００８】
このように構成することによって、フィルムを帯電させて搬送ローラに吸着させることにより、搬送ローラに対してフィルムが滑るのを抑制することができるので、フィルムの張力を搬送ローラに対する上流側と下流側とで分断するテンションカットを行うことができる。また、帯電したフィルムを除電して、搬送ローラから下流側に送り出されるフィルムを剥離しやすくすることにより、フィルムを帯電させることによる悪影響の発生を抑制することができる。なお、帯電による悪影響とは、たとえば、搬送ローラに吸着したフィルムがその搬送ローラから剥離する位置（離れる位置）が変化することや、その剥離する位置の変化を抑制するために下流側のフィルムの張力を高くする必要が生じることなどである。
【０００９】
上記フィルム搬送機構において、好ましくは、搬送ローラは、近傍に配置される第１駆動ローラおよび第２駆動ローラを含み、第１駆動ローラおよび第２駆動ローラには、フィルムがＳ字状に巻き掛けられている。
【００１０】
上記フィルム搬送機構において、好ましくは、フィルムの流れ方向において搬送ローラよりも上流側に配置され、搬送ローラに対して上流側のフィルムの張力を調整するために設けられた第１ダンサーローラと、フィルムの流れ方向において搬送ローラよりも下流側に配置され、搬送ローラに対して下流側のフィルムの張力を調整するために設けられた第２ダンサーローラとを備える。
【００１１】
上記フィルム搬送機構において、好ましくは、搬送ローラに対して上流側のフィルムの張力と、搬送ローラに対して下流側のフィルムの張力との差に基づいて、帯電器によるフィルムの帯電量を調整するように構成されている。
【００１２】
上記フィルム搬送機構において、好ましくは、フィルムは、樹脂製の薄膜である。
【発明の効果】
【００１３】
本発明のフィルム搬送機構によれば、ニップローラやサクションローラを用いることなく、テンションカットを行うことができる。
【図面の簡単な説明】
【００１４】
【図１】本発明の一実施形態によるフィルム巻取装置の概略構成を示した模式図である。
【図２】図１のフィルム巻取装置の搬送ローラの近傍を拡大して示した図である。
【発明を実施するための形態】
【００１５】
以下、本発明の一実施形態について図面を参照して説明する。
【００１６】
−構成−
まず、図１および図２を参照して、本実施形態によるフィルム巻取装置１００の構成について説明する。
【００１７】
フィルム巻取装置１００は、上流側の製膜装置（図示省略）からフィルム１５１が供給され、そのフィルム１５１を巻取軸２１に巻き取るように構成されている。このフィルム巻取装置１００は、図１に示すように、搬送ローラ１１を有する搬送機構１と、巻取軸２１を有する巻取機構２とを備えている。なお、フィルム１５１は、たとえば、帯状に形成された樹脂製の薄膜であり、４〜１０μｍの厚みを有する。このフィルム１５１の厚みは、ニップローラ（図示省略）を用いてテンションカットを行うと、しわなどが発生する程度のものである。また、フィルム１５１は、厚み方向に貫通する多数の微細孔を有しており、リチウムイオン二次電池のセパレータとして用いられる。
【００１８】
搬送機構１は、製膜装置と巻取機構２との間に配置され、製膜装置から供給されるフィルム１５１を巻取機構２に搬送するために設けられている。この搬送機構１は、搬送ローラ１１と、ガイドローラ１２ａ〜１２ｃと、ダンサーローラ１３ａを有するダンサー機構１３と、ガイドローラ１４ａ〜１４ｃと、ダンサーローラ１５ａを有するダンサー機構１５と、帯電器１６ａおよび１６ｂと、除電器１７ａおよび１７ｂとを含んでいる。なお、搬送機構１は、本発明の「フィルム搬送機構」の一例である。
【００１９】
搬送ローラ１１は、フィルム１５１が巻き掛けられ、そのフィルム１５１を搬送するように構成されている。搬送ローラ１１に巻き掛けられるフィルム１５１は搬送ローラ１１に対して滑らないようにされており、フィルム１５１の張力を搬送ローラ１１に対する上流側と下流側とで分断するようになっている。すなわち、搬送ローラ１１は、テンションカットを行うように構成されている。
【００２０】
具体的に、搬送ローラ１１は、近傍に配置される２つの駆動ローラ１１ａおよび１１ｂを含んでいる。駆動ローラ１１ｂは、駆動ローラ１１ａに対して斜め上方に配置されている。駆動ローラ１１ｂの回転中心は、駆動ローラ１１ａの回転中心に対して製膜装置側（Ｙ１方向側）に配置されている。このため、駆動ローラ１１ａおよび１１ｂには、フィルム１５１がＳ字状に巻き掛けられている。また、駆動ローラ１１ａおよび１１ｂは、離間されており、その間のフィルム搬送経路が短くなるように設定されている。なお、駆動ローラ１１ａおよび１１ｂは、それぞれ、本発明の「第１駆動ローラ」および「第２駆動ローラ」の一例である。
【００２１】
ガイドローラ１２ａ〜１２ｃおよびダンサーローラ１３ａは、フィルム搬送経路における製膜装置と駆動ローラ１１ｂとの間に配置されている。すなわち、ガイドローラ１２ａ〜１２ｃおよびダンサーローラ１３ａは、フィルム１５１の流れ方向において搬送ローラ１１の駆動ローラ１１ｂよりも上流側に配置されている。このため、ガイドローラ１２ａ〜１２ｃおよびダンサーローラ１３ａは、製膜装置から供給されるフィルム１５１を搬送ローラ１１にガイドするように構成されている。なお、製膜装置と駆動ローラ１１ｂとの間のフィルム１５１を上流側のフィルム１５１ａという。
【００２２】
具体的には、製膜装置から搬送ローラ１１に向かうフィルム搬送経路において、ガイドローラ１２ａ、１２ｂ、１２ｃおよびダンサーローラ１３ａが順に配置されている。ダンサーローラ１３ａは、駆動ローラ１１ｂに対して巻取機構２側（Ｙ２方向側）に配置されている。このため、ダンサーローラ１３ａから駆動ローラ１１ｂに向かうフィルム１５１は、Ｙ１方向にほぼ水平に搬送される。
【００２３】
ダンサー機構１３は、上流側のフィルム１５１ａの張力を調整するように構成されている。このダンサー機構１３は、ダンサーローラ１３ａと、アーム１３ｂと、加圧装置（図示省略）とを有する。ダンサーローラ１３ａは、アーム１３ｂの先端に設けられるとともに、アーム１３ｂに対して回転可能に構成されている。アーム１３ｂは、基端側の回動軸を中心にして回動可能に設けられている。加圧装置は、たとえばエアシリンダであり、ピストン（図示省略）がアーム１３ｂに連結されている。そして、ダンサー機構１３では、加圧装置からアーム１３ｂを介してダンサーローラ１３ａに加えられる力が調整されることにより、そのダンサーローラ１３ａに巻き掛けられた上流側のフィルム１５１ａの張力が調整されるようになっている。なお、ダンサーローラ１３ａは、本発明の「第１ダンサーローラ」の一例である。
【００２４】
ガイドローラ１４ａ〜１４ｃおよびダンサーローラ１５ａは、フィルム搬送経路における駆動ローラ１１ａと巻取軸２１との間に配置されている。すなわち、ガイドローラ１４ａ〜１４ｃおよびダンサーローラ１５ａは、フィルム１５１の流れ方向において搬送ローラ１１の駆動ローラ１１ａよりも下流側に配置されている。このため、ガイドローラ１４ａ〜１４ｃおよびダンサーローラ１５ａは、駆動ローラ１１ａから送り出されたフィルム１５１を巻取軸２１にガイドするように構成されている。なお、駆動ローラ１１ａと巻取軸２１との間のフィルム１５１を下流側のフィルム１５１ｂという。この下流側のフィルム１５１ｂの搬送経路における各ローラ間の距離は、上流側のフィルム１５１ａの搬送経路における各ローラ間の距離に比べて短い傾向がある。
【００２５】
具体的には、駆動ローラ１１ａから巻取軸２１に向かうフィルム搬送経路において、ガイドローラ１４ａ、１４ｂ、ダンサーローラ１５ａおよびガイドローラ１４ｃが順に配置されている。ガイドローラ１４ａは、駆動ローラ１１ａと対応する位置の下方に配置されている。このため、駆動ローラ１１ａから送り出されるフィルム１５１は、斜め下方に引き出されるようになっている。
【００２６】
ダンサー機構１５は、下流側のフィルム１５１ｂの張力を調整するように構成されている。このダンサー機構１５は、ダンサーローラ１５ａと、アーム１５ｂと、加圧装置（図示省略）とを有する。ダンサーローラ１５ａは、アーム１５ｂの先端に設けられるとともに、アーム１５ｂに対して回転可能に構成されている。アーム１５ｂは、基端側の回動軸を中心にして回動可能に設けられている。加圧装置は、たとえばエアシリンダであり、ピストン（図示省略）がアーム１５ｂに連結されている。そして、ダンサー機構１５では、加圧装置からアーム１５ｂを介してダンサーローラ１５ａに加えられる力が調整されることにより、そのダンサーローラ１５ａに巻き掛けられた下流側のフィルム１５１ｂの張力が調整されるようになっている。なお、ダンサーローラ１５ａは、本発明の「第２ダンサーローラ」の一例である。
【００２７】
図２に示すように、駆動ローラ１１ｂに対してＹ２方向側にダンサーローラ１３ａが配置されるとともに、駆動ローラ１１ｂに対して斜め下方（Ｙ２方向側）に駆動ローラ１１ａが配置されることから、駆動ローラ１１ｂに巻き掛けられるフィルム１５１が駆動ローラ１１ｂと接触する角度範囲（駆動ローラ１１ｂの周方向においてフィルム１５１が接触する部分の長さ）が大きくなっている。具体的には、駆動ローラ１１ｂに対してフィルム１５１が接触する角度範囲が１８０度以上である。また、駆動ローラ１１ａに対して斜め上方（Ｙ１方向側）に駆動ローラ１１ｂが配置されるとともに、駆動ローラ１１ａの下方にガイドローラ１４ａが配置されることから、駆動ローラ１１ａに巻き掛けられるフィルム１５１が駆動ローラ１１ａと接触する角度範囲が大きくなっている。具体的には、駆動ローラ１１ａに対してフィルム１５１が接触する角度範囲がほぼ１８０度である。これにより、フィルム１５１が駆動ローラ１１ａおよび１１ｂに対して滑りにくくされている。
【００２８】
帯電器１６ａおよび１６ｂは、フィルム１５１を帯電させることにより、搬送ローラ１１にフィルム１５１を吸着させるために設けられている。このように、フィルム１５１を帯電させて搬送ローラ１１に吸着させることにより、フィルム１５１が搬送ローラ１１に対して滑らないようにされている。また、帯電器１６ａおよび１６ｂは、上流側のフィルム１５１ａの張力と下流側のフィルム１５１ｂの張力との差に基づいて、フィルム１５１の帯電量を調整するように構成されている。
【００２９】
帯電器１６ａは、駆動ローラ１１ｂに対して製膜装置側（Ｙ１方向側）に配置されている。この帯電器１６ａは、白抜き矢印で示すように、駆動ローラ１１ｂに巻き掛けられるフィルム１５１にイオンを供給するように構成されている。
【００３０】
帯電器１６ｂは、駆動ローラ１１ａに対して斜め上方（Ｙ２方向側）に配置されている。この帯電器１６ｂは、白抜き矢印で示すように、駆動ローラ１１ａに巻き掛けられるフィルム１５１にイオンを供給するように構成されている。なお、帯電器１６ｂにより供給されるイオンは、帯電器１６ａにより供給されるイオンと同じ極性である。
【００３１】
除電器１７ａおよび１７ｂは、帯電したフィルム１５１を除電するために設けられている。除電器１７ａは、駆動ローラ１１ａの下方に配置され、除電器１７ｂは、ガイドローラ１４ａからガイドローラ１４ｂに向かうフィルム１５１の上方に配置されている。
【００３２】
除電器１７ａは、黒塗り矢印で示すように、駆動ローラ１１ａからガイドローラ１４ａに向かうフィルム１５１にイオン（フィルム１５１の帯電電荷とは逆極性のイオン）を供給するように構成されている。このため、駆動ローラ１１ａからガイドローラ１４ａに向けて送り出されるフィルム１５１が除電され、そのフィルム１５１が駆動ローラ１１ａから剥離しやすくなっている。これにより、駆動ローラ１１ａから送り出されるフィルム１５１が、駆動ローラ１１ａおよびガイドローラ１４ａの接線方向（Ｔ方向）を向くようになっている。
【００３３】
除電器１７ｂは、黒塗り矢印で示すように、ガイドローラ１４ａおよび１４ｂ間のフィルム１５１にイオン（フィルム１５１の帯電電荷とは逆極性のイオン）を供給するように構成されている。この除電器１７ｂは、フィルム１５１の残留電荷を除去するために設けられている。
【００３４】
巻取機構２は、図１に示すように、フィルム１５１を巻き取る巻取軸２１と、巻取軸２１の近傍に配置されるニアローラ２２とを有する。巻取軸２１は、回転可能に設けられ、搬送機構１により搬送されるフィルム１５１を巻き取るように構成されている。この巻取軸２１にフィルム１５１が巻き取られることにより巻取ロール（図示省略）が形成される。ニアローラ２２は、ガイドローラ１４ｃと巻取軸２１との間に配置され、フィルム１５１が巻き掛けられている。このニアローラ２２は、巻取軸２１に向かうフィルムの向きを規定する機能を有する。この巻取機構２は、巻取軸２１を回転させてフィルム１５１を巻き取る際に、巻取ロールとニアローラ２２との間隔を一定に保つように構成されている。すなわち、巻取ロールに対してニアローラ２２が離間された状態で、巻取軸２１にフィルム１５１を巻き取るようになっている。なお、巻取機構２は、フィルム１５１を巻き取りながら、フィルム１５１を巻き取る巻取軸２１を切り替え可能に構成されている。
【００３５】
−動作−
次に、図１および図２を参照して、本実施形態によるフィルム巻取装置１００の動作について説明する。
【００３６】
まず、図１に示すように、上流側の製膜装置からフィルム巻取装置１００にフィルム１５１が供給される。そのフィルム１５１は、ガイドローラ１２ａ、１２ｂ、１２ｃおよびダンサーローラ１３ａを介して搬送ローラ１１の駆動ローラ１１ｂに搬送される。この搬送ローラ１１の駆動ローラ１１ａおよび１１ｂは駆動回転されており、上流側から供給されるフィルム１５１を下流側に送り出す。搬送ローラ１１の駆動ローラ１１ａから送り出されるフィルム１５１は、ガイドローラ１４ａ、１４ｂ、ダンサーローラ１５ａ、ガイドローラ１４ｃおよびニアローラ２２を介して巻取軸２１に搬送される。巻取軸２１は駆動回転されており、フィルム１５１が巻取軸２１に巻き取られる。
【００３７】
ここで、搬送機構１では、図２に示すように、帯電器１６ａによってフィルム１５１が帯電されることにより、その帯電したフィルム１５１が駆動ローラ１１ｂに吸着されるとともに、帯電器１６ｂによってフィルム１５１が帯電されることにより、その帯電したフィルム１５１が駆動ローラ１１ａに吸着される。このため、フィルム１５１が搬送ローラ１１に対して滑らないことから、フィルム１５１の張力が搬送ローラ１１に対する上流側と下流側とで分断される。
【００３８】
また、除電器１７ａによって帯電したフィルム１５１（駆動ローラ１１ａに吸着したフィルム１５１）を除電することにより、駆動ローラ１１ａからガイドローラ１４ａに向かうフィルム１５１が、駆動ローラ１１ａから剥離しやすくなる。このため、駆動ローラ１１ａから送り出されるフィルム１５１が、駆動ローラ１１ａおよびガイドローラ１４ａの接線方向（Ｔ方向）に搬送される。なお、除電器１７ｂによりフィルム１５１の残留電荷が除去される。
【００３９】
そして、駆動ローラ１１ａの回転速度は、製膜装置から供給されるフィルム１５１の搬送速度に応じて設定されるとともに、ダンサーローラ１３ａの位置に応じて調整される。具体的には、入出力速度差（供給されるフィルム１５１の搬送速度と駆動ローラ１１ａの表面速度との差）が発生し、ダンサーローラ１３ａが所定の位置から変位した場合に、そのダンサーローラ１３ａの変位を打ち消すように、駆動ローラ１１ａの回転速度が制御される。これにより、入出力速度差が発生しても吸収することが可能である。つまり、駆動ローラ１１ａが速度制御される。なお、駆動ローラ１１ｂは、表面速度が駆動ローラ１１ａの表面速度と同じになるように駆動される。上流側のフィルム１５１ａの張力は、ダンサー機構１３により調整されており、たとえば２０〜４０Ｎ／ｍに設定される。
【００４０】
また、巻取軸２１の回転速度は、駆動ローラ１１ａの回転速度に応じて設定されるとともに、ダンサーローラ１５ａの位置に応じて調整される。具体的には、入出力速度差（駆動ローラ１１ａの表面速度と巻取軸２１に巻き取られる巻取ロールの表面速度との差）が発生し、ダンサーローラ１５ａが所定の位置から変位した場合に、そのダンサーローラ１５ａの変位を打ち消すように、巻取軸２１の回転速度が制御される。これにより、入出力速度差が発生しても吸収することが可能である。つまり、巻取軸２１が速度制御される。下流側のフィルム１５１ｂの張力は、ダンサー機構１５により調整されており、たとえば５Ｎ／ｍに設定される。すなわち、下流側のフィルム１５１ｂの張力は、上流側のフィルム１５１ａの張力よりも低く設定されている。
【００４１】
なお、帯電器１６ａおよび１６ｂによるフィルム１５１の帯電量は、上流側のフィルム１５１ａの張力と下流側のフィルム１５１ｂの張力との差に基づいて設定される。具体的には、上流側のフィルム１５１ａの張力と下流側のフィルム１５１ｂの張力との差が大きくなるほど、フィルム１５１の帯電量が大きくなるように設定される。
【００４２】
−効果−
本実施形態では、上記のように、フィルム１５１を帯電させることにより、搬送ローラ１１にフィルム１５１を吸着させるための帯電器１６ａおよび１６ｂと、帯電したフィルム１５１を除電することにより、駆動ローラ１１ａから下流側に送り出されるフィルム１５１が剥離しやすくするための除電器１７ａとが設けられている。このように構成することによって、フィルム１５１を帯電させて搬送ローラ１１に吸着させることにより、搬送ローラ１１に対してフィルム１５１が滑るのを抑制することができるので、フィルム１５１の張力を搬送ローラ１１に対する上流側と下流側とで分断するテンションカットを行うことができる。また、帯電したフィルム１５１を除電して、駆動ローラ１１ａから下流側に送り出されるフィルム１５１を剥離しやすくすることにより、フィルム１５１を帯電させることによる悪影響の発生を抑制することができる。なお、帯電による悪影響とは、たとえば、駆動ローラ１１ａに吸着したフィルム１５１がその駆動ローラ１１ａから剥離する位置（離れる位置）が変化することや、その剥離する位置の変化を抑制するために下流側のフィルム１５１ｂの張力を高くする必要が生じることなどである。したがって、ニップローラやサクションローラを用いることなく、テンションカットを行うことができる。その結果、フィルム１５１が樹脂製の薄膜である場合であっても、製造コストの増大を抑制しながら、テンションカットを行うことができる。
【００４３】
また、本実施形態では、上流側のフィルム１５１ａの張力と下流側のフィルム１５１ｂの張力との差が大きくなるほど、フィルム１５１の帯電量を大きくすることによって、搬送ローラ１１に対してフィルム１５１が滑るのを抑制しながら、フィルム１５１が必要以上に帯電されるのを抑制することができる。
【００４４】
また、本実施形態では、搬送ローラ１１が２つの駆動ローラ１１ａおよび１１ｂを含み、駆動ローラ１１ａおよび１１ｂにはフィルム１５１がＳ字状に巻き掛けられることによって、搬送ローラ１１に対してフィルム１５１が接触する接触長さを長くすることができるので、搬送ローラ１１に対してフィルム１５１が滑るのを抑制することができる。
【００４５】
−他の実施形態−
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味および範囲内でのすべての変更が含まれる。
【００４６】
たとえば、本実施形態では、製膜装置から供給されるフィルム１５１を巻き取るフィルム巻取装置１００の搬送機構１に本発明を適用する例を示したが、これに限らず、原反からフィルムを繰り出して巻き替えるフィルム巻替装置の搬送機構に本発明を適用してもよい。
【００４７】
また、本実施形態では、搬送ローラ１１が２つの駆動ローラ１１ａおよび１１ｂを含む例を示したが、これに限らず、搬送ローラが１つの駆動ローラによって構成されていてもよい。
【００４８】
また、本実施形態では、２つの帯電器１６ａおよび１６ｂが設けられる例を示したが、これに限らず、帯電器の数はいくつであってもよい。同様に、２つの除電器１７ａおよび１７ｂが設けられる例を示したが、これに限らず、除電器の数はいくつであってもよい。
【００４９】
また、本実施形態において、フィルム１５１の搬送速度に基づいて、フィルム１５１の帯電量を調整するようにしてもよい。たとえば、フィルム１５１の搬送速度が高くなるほど、フィルム１５１の帯電量を大きくしてもよい。
【００５０】
また、本実施形態では、フィルム１５１が４〜１０μｍの厚みを有する多孔質薄膜である例を示したが、これに限らず、フィルムに微細孔が形成されておらず、厚みが２〜１０μｍであってもよい。
【符号の説明】
【００５１】
１        搬送機構（フィルム搬送機構）
１１      搬送ローラ
１１ａ    駆動ローラ（第１駆動ローラ）
１１ｂ    駆動ローラ（第２駆動ローラ）
１３ａ    ダンサーローラ（第１ダンサーローラ）
１５ａ    ダンサーローラ（第２ダンサーローラ）
１６ａ    帯電器
１６ｂ    帯電器
１７ａ    除電器
１５１    フィルム
１５１ａ  上流側のフィルム
１５１ｂ  下流側のフィルム
【図１】
2018167930.tif 000003
【図２】
2018167930.tif 000004
【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
樹脂製の薄膜であるフィルムを搬送するフィルム搬送機構であって、
フィルムが巻き掛けられ、そのフィルムを搬送する搬送ローラと、
フィルムを帯電させることにより、前記搬送ローラにフィルムを吸着させるための帯電器と、
帯電したフィルムを除電することにより、前記搬送ローラから下流側に送り出されるフィルムが剥離しやすくするための除電器とを備え、
帯電によってフィルムを前記搬送ローラに吸着させることにより、フィルムの張力が前記搬送ローラに対する上流側と下流側とで分断されるように構成されていることを特徴とするフィルム搬送機構。
【請求項２】
請求項１に記載のフィルム搬送機構において、
前記搬送ローラは、近傍に配置される第１駆動ローラおよび第２駆動ローラを含み、
前記第１駆動ローラおよび前記第２駆動ローラには、フィルムがＳ字状に巻き掛けられていることを特徴とするフィルム搬送機構。
【請求項３】
請求項１または２に記載のフィルム搬送機構において、
フィルムの流れ方向において前記搬送ローラよりも上流側に配置され、前記搬送ローラに対して上流側のフィルムの張力を調整するために設けられた第１ダンサーローラと、
フィルムの流れ方向において前記搬送ローラよりも下流側に配置され、前記搬送ローラに対して下流側のフィルムの張力を調整するために設けられた第２ダンサーローラとを備えることを特徴とするフィルム搬送機構。
【請求項４】
請求項１〜３のいずれか１つに記載のフィルム搬送機構において、
前記搬送ローラに対して上流側のフィルムの張力と、前記搬送ローラに対して下流側のフィルムの張力との差に基づいて、前記帯電器によるフィルムの帯電量を調整するように構成されていることを特徴とするフィルム搬送機構。
【手続補正２】
【補正対象書類名】明細書
【補正対象項目名】０００７
【補正方法】変更
【補正の内容】
【０００７】
本発明によるフィルム搬送機構は、樹脂製の薄膜であるフィルムを搬送するものであり、フィルムが巻き掛けられ、そのフィルムを搬送する搬送ローラと、フィルムを帯電させることにより、搬送ローラにフィルムを吸着させるための帯電器と、帯電したフィルムを除電することにより、搬送ローラから下流側に送り出されるフィルムが剥離しやすくするための除電器とを備える。そして、フィルム搬送機構は、帯電によってフィルムを搬送ローラに吸着させることにより、フィルムの張力が搬送ローラに対する上流側と下流側とで分断されるように構成されている。
【手続補正３】
【補正対象書類名】明細書
【補正対象項目名】００１２
【補正方法】削除
【補正の内容】